(57)【要約】【課題】  水素および酸素を超微細水滴とともに発生し放出可能な超微細水滴発生装置を提供する。【解決手段】  超微細水滴発生装置は、送風機１２の駆動により吸気口１１より空気が通過する処理室と、超微細水滴と負イオンを放出する放出口１８とを有する超微細水滴発生装置本体１と、本体１の吸気口１１側の下部に設けられた水素発生体および水を収納可能な上部の少なくとも一部が開放された水素・空気混合気体調製槽３とから構成され、送風機１２の駆動により水素・空気混合気体調製槽で発生した水素と空気とを同時に吸気して、吸気した水素および酸素を含む超微細水滴を前記放出口から放出する。【選択図】図１
2013221733.tif 000002
【特許請求の範囲】
【請求項１】
送風機の駆動により吸気口より空気が通過する処理室と、
前記処理室の下部に設けられ給水タンクからの給水を一定水位で貯水する貯水室と、
この貯水室の貯水に下端を水没させた筒状の回転体と、
この回転体の外周に間隔を有して位置し、該回転体と共に駆動モータの駆動で回転しこの回転による遠心力で、押し上げられた水を飛散させてぶつけられる円筒体と、
円筒体の外周に位置し前記円筒体から飛散される水がぶつかる送風筒と、
前記円筒体及び送風筒で水が破砕されることで生成する超微細水滴と負イオンを放出する放出口とを有する超微細水滴発生装置本体と、
前記超微細水滴発生装置本体の吸気口側の下部に設けられた
水素発生体および水を収納可能な上部の少なくとも一部が開放された水素・空気混合気体調製槽とから構成され、
前記送風機の駆動により水素・空気混合気体調製槽で発生した水素と空気とを同時に吸気して、吸気した水素および酸素を含む超微細水滴を前記放出口から放出することを特徴とする水素および酸素を含む超微細水滴発生装置。
【請求項２】
前記水素・空気混合気体調製槽が着脱自在に設けられていることを特徴とする請求項１に記載の水素および酸素を含む超微細水滴発生装置。
【請求項３】
前記吸気口には、不純物を除去するフィルタが設けられていることを特徴とする請求項１または請求項２に記載の水素および酸素を含む超微細水滴発生装置。
【請求項４】
前記円筒体は多孔質であることを特徴とする請求項１から請求項３のいずれか１項に記載の水素および酸素を含む超微細水滴発生装置。
【請求項５】
前記排出口は、排気管または美顔用アタッチメントと着脱自在に接続されていることを特徴とする請求項１から請求項４のいずれか１項に記載の水素および酸素を含む超微細水滴発生装置。
【請求項６】
送風機の駆動により吸気口より空気が通過する処理室と、
前記処理室の下部に設けられ給水タンクからの給水を一定水位で貯水する貯水室と、
この貯水室の貯水に下端を水没させた筒状の回転体と、
この回転体の外周に間隔を有して位置し、該回転体と共に駆動モータの駆動で回転しこの回転による遠心力で、押し上げられた水を飛散させてぶつけられる円筒体と、
円筒体の外周に位置し該多孔体から飛散される水がぶつかる送風筒と、
前記円筒体及び送風筒で水が破砕されることで生成する超微細水滴と負イオンを放出する放出口とを有する超微細水滴発生装置本体に着脱自在に装着する水素発生用アタッチメントであって、
前記超微細水滴発生装置本体の吸気口側の下部に設けられた
水素発生体および水を収納可能な上部の少なくとも一部が開放された水素・空気混合気体調製槽とから構成され、前記超微細水滴発生装置本体の送風機の駆動により水素・空気混合気体調製槽で発生した水素と空気とを同時に吸気して、吸気した水素および酸素を含む超微細水滴を前記放出口から放出することを特徴とする水素発生用アタッチメント。
【発明の詳細な説明】
【技術分野】
【０００１】  本発明は、水素および酸素を含む超微細水滴発生装置に関する。本発明はまた、超微細水滴発生装置に装着して水素および酸素を超微細水滴と同時に放出可能なアタッチメントに関する。
【背景技術】
【０００２】  近年、抗酸化作用を有する水素を体内に摂取するために水素水が注目されている。水素水を摂取すると水素水に多く含まれている水素が体の中の活性酸素を排除する作用があるといわれている。そのため、活性酸素が引き起こしていた、様々な生活習慣病や、がんなどの様々な病気の予防や治療に効能効果があると期待されている。【０００３】  また、水素の摂取形態として、浴用として水素を経皮的および呼吸器系から摂取する水素発生体が開発されている（特許文献１）。
【先行技術文献】
【特許文献】
【０００４】
【特許文献１】  特開２０１１−１１９６８号公報
【発明の概要】
【発明が解決しようとする課題】
【０００５】  特許文献１に記載の水素発生体は、石灰、アルミと水との反応により水素を発生するものであるが、浴内で長時間使用するとアルミニウムや石灰等の成分が浴槽内に流出することがある。また、発生する水素の気泡は比較的大きくそのため、経皮からの水素の吸収に対する期待は少ない。さらに、水素以外に酸素を同時に経皮的および呼吸器系から摂取したいという要望がある。【０００６】  したがって、本発明の課題は、水素および酸素を超微細水滴とともに放出する装置およびアタッチメントを提供することである。【０００７】  より具体的には本発明の課題は、水素および酸素を超微細水滴とともに発生し放出可能な超微細水滴発生装置を提供することである。【０００８】  本発明の別の課題は、超微細水滴発生装置に装着して水素および酸素を超微細水滴とともに発生し放出するアタッチメントを提供することである。
【課題を解決するための手段】
【０００９】  本発明は、上記課題に鑑みて創作されたものであり、下記項目に関するものである。
（１）  送風機の駆動により吸気口より空気が通過する処理室と、
前記処理室の下部に設けられ給水タンクからの給水を一定水位で貯水する貯水室と、
この貯水室の貯水に下端を水没させた筒状の回転体と、
この回転体の外周に間隔を有して位置し、該回転体と共に駆動モータの駆動で回転しこの回転による遠心力で、押し上げられた水を飛散させてぶつけられる円筒体と、
円筒体の外周に位置し該多孔体から飛散される水がぶつかる送風筒と、
前記円筒体及び送風筒で水が破砕されることで生成する超微細水滴と負イオンを放出する放出口とを有する超微細水滴発生装置本体と、
前記超微細水滴発生装置本体の吸気口側の下部に設けられた
水素発生体および水を収納可能な上部の少なくとも一部が開放された水素・空気混合気体調製槽とから構成され、
前記送風機の駆動により水素・空気混合気体調製槽で発生した水素と空気とを同時に吸気して、吸気した水素および酸素を含む超微細水滴を前記放出口から放出することを特徴とする水素および酸素を含む超微細水滴発生装置。【００１０】（２）  前記水素・空気混合気体調製槽が着脱自在に設けられていることを特徴とする１に記載の水素および酸素を含む超微細水滴発生装置。【００１１】（３）  前記吸気口には、不純物を除去するフィルタが設けられていることを特徴とする１または２に記載の水素および酸素を含む超微細水滴発生装置。【００１２】（４）  前記円筒体は多孔質であることを特徴とする１から３のいずれが１項に記載の水素および酸素を含む超微細水滴発生装置。【００１３】（５）  前記排出口は、排気管または美顔用アタッチメントと着脱自在に接続されていることを特徴とする１から４のいずれか１項に記載の水素および酸素を含む超微細水滴発生装置。【００１４】（６）  送風機の駆動により吸気口より空気が通過する処理室と、
前記処理室の下部に設けられ給水タンクからの給水を一定水位で貯水する貯水室と、
この貯水室の貯水に下端を水没させた筒状の回転体と、
この回転体の外周に間隔を有して位置し、該回転体と共に駆動モータの駆動で回転しこの回転による遠心力で、押し上げられた水を飛散させてぶつけられる円筒体と、
円筒体の外周に位置し該多孔体から飛散される水がぶつかる送風筒と、
前記円筒体及び送風筒で水が破砕されることで生成する超微細水滴と負イオンを放出する放出口とを有する超微細水滴発生装置本体に着脱自在に装着する水素発生用アタッチメントであって、
前記超微細水滴発生装置本体の吸気口側の下部に設けられた
水素発生体および水を収納可能な上部の少なくとも一部が開放された水素・空気混合気体調製槽とから構成され、前記超微細水滴発生装置本体の送風機の駆動により水素・空気混合気体調製槽で発生した水素と空気とを同時に吸気して、吸気した水素および酸素を含む超微細水滴を前記放出口から放出することを特徴とする水素発生用アタッチメント。
【発明の効果】
【００１５】  本発明の水素および酸素を含む超微細水滴発生装置によると、送風機の駆動により吸気口より空気が通過する処理室と、前記処理室の下部に設けられ給水タンクからの給水を一定水位で貯水する貯水室と、この貯水室の貯水に下端を水没させた筒状の回転体と、この回転体の外周に間隔を有して位置し、該回転体と共に駆動モータの駆動で回転しこの回転による遠心力で、押し上げられた水を飛散させてぶつけられる円筒体と、円筒体の外周に位置し該多孔体から飛散される水がぶつかる送風筒と、前記円筒体及び送風筒で水が破砕されることで生成する超微細水滴と負イオンを放出する放出口とを有する超微細水滴発生装置本体と、前記超微細水滴発生装置本体の吸気口側の下部に設けられた水素発生体および水を収納可能な上部の少なくとも一部が開放された水素・空気混合気体調製槽という簡単な構成により、水素および酸素を含む超微細水滴を発生させることができる。【００１６】  また、本発明のアタッチメントは、既存の超微細水滴発生装置の吸気口に所定の水素・空気混合気体調製槽を設けるだけで水素および酸素を含む超微細水滴を発生させることができる。
【図面の簡単な説明】
【００１７】
【図１】  本発明の第１実施形態に係る超微細水滴発生装置の一例を示す図面である。
【図２】  図１に記載の超微細水滴発生装置に排気ダクトを設けた実施態様の構成の一例を示す図面である。
【図３】  図１に記載の超微細水滴発生装置に美顔器を設けた実施態様の構成の一例を示す図面である。
【図４】  図１に示す超微細水滴発生装置から水素・空気混合気体調製槽を取り外した様子を示す図面である。
【図５】  別の態様の水素・空気混合気体調製槽を示す図面である。
【発明を実施するための形態】
【００１８】  以下、本発明の実施の形態を添付図面に基づいて説明する。
図１に示す通り、本発明の超微細水滴発生装置は、超微細水滴発生装置本体１と超微細水滴発生装置本体１と着脱自在に取り付けられた水素・空気混合気体調製槽３とから構成されている。
【００１９】  超微細ミスト発生装置本体は、送風機である送風ファン１２の駆動により吸気口１１より空気が通過する処理室１３と、処理室１３の下部に設けられ図示しない給水タンクからの給水を一定水位で貯水する貯水室１６と、貯水室１６の貯水に下端を水没させた筒状の回転体１４と、回転体１４の外周に間隔を有して位置し、回転体１４と共に図示しない駆動モータの駆動で回転しこの回転による遠心力で、押し上げられた水を飛散させてぶつけられる円筒体１５と、円筒体１５の外周に位置し円筒体１５から飛散される水がぶつかる送風筒１７と、円筒体１５及び送風筒１６で水が破砕されることで生成する超微細水滴と負イオンを放出する放出口１８とから主として構成されている一般的なレナード式超微細水滴発生装置である。
【００２０】  なお、送風ファン１２、回転体１４を駆動する駆動モータは、本体１の上側に配置されていても、下側に配置されていてもよい。また、円筒体１５は、破砕された超微細の水の粒子を送風塔１７に送るための多数の微細な孔を有しており、一般的には多孔質材料で構成されている。また、なお、本発明において例えば、特開２０１１−２４２０２６号公報に記載のようなファンを回転させるための略鉛直な回転軸を有する駆動モータと、前記ファンの下方において前記回転軸に固定され、回転時の遠心力により水を吸い上げる円錐筒と、前記円錐筒の下端が水没するように所定の水位で水を貯留する水槽と、前記水槽に水を供給する給水タンクと、を備えた超微細水滴発生装置であることができる。
【００２１】  微細水滴発生装置１は、マイナスイオン発生装置、消臭装置、加湿装置等に有効に利用できる。
本発明においては、このような超微細水滴発生装置において、超微細水滴発生装置本体１の吸気口１１に相当する部分に空気とともに水素を取り込むための水素・空気混合気体調製槽３を有していることが特徴である。
【００２２】  水素・空気混合気体調製槽３は、特許文献１に記載の通りの金属又は合金粉末にソーダ石灰粉末、酸化カルシウム粉末、水酸化カルシウム粉末の１つ又は複数を加えた水素ガス発生組成物を、透水性の袋又は小容器に収納した水素発生体３１を水と反応させて水素を発生させ、なおかつ空気を取り込むために上方が開口された容器から構成されている。
【００２３】  換言すると、水素・空気混合気体調製槽３は、垂直方向下側から水および水素発生体３１を収納するための貯水部３２と、水素発生体３１から発生した水素を吸気口１１相当部分に誘導するための気体誘導部３３と周囲からの空気取り入れ部３３から構成されており、水素と空気との混合気体を超微細水滴発生装置本体１の送風ファン１２の駆動より吸気口１１を介して超微細水滴発生装置本体１内に取り込むための混合気体調整槽の役割を果たす。
【００２４】  すなわち、水素・空気混合気体調製槽３は、下部に水素発生体３１および水を収納するための液密な容器であり、超微細水滴発生装置本体の吸気口１１に相当する部分および周囲から吸気を取り込むための上方部分の少なくとも１箇所が開口した容器であって、超微細水滴発生装置本体１の送風ファン１１の駆動に伴って、水素・空気混合気体調製槽３の貯水部３２に収納された水素発生体３１から発生した下方から上方に流れる水素と空気取り入れ部３４から取り入れられた空気とを混合・調製して超微細水滴発生装置本体１に送る機能を有している。
【００２５】  なお、水素・空気混合気体調製槽３は、図１から図３に示す通り、超微細水滴発生装置本体１の上方が開放されていてもよく、あるいは図５に示す通り、超微細水滴発生装置本体１の吸気口１１に相当する部分に混合気体導入口３５を設けてもよい。
【００２６】  また、空気取り入れ部３４は、混合調製槽３の上面を開放してもよく、あるいは、側面の上方に開口部（１または複数）設けてもよい。
【００２７】  このように構成された、混合気体調製槽３を設けることにより、混合気体調製槽３で調製された空気と水素との混合気体は吸気口１１から超微細水滴発生装置本体１内部に取り込まれて放出口から超微細水滴とともに水素・酸素を含有するミストとして放出することになる。
そのため、超微細水滴発生装置マイナスイオン効果とともに、水素・酸素混合気体の放出効果が得られる。
【００２８】  例えば、図２に示すように放出口１８を排気ダクトと接続することにより、水素・酸素を含有する超微細水滴を、例えば水素および酸素を含有する超微細ミストをサウナ室などに選択的に放出することができ、あるいは水素および酸素を含有する超微細ミストを吸気することも可能となる。
【００２９】また、図３に示す通り放出口１８を美顔器１９’に接続することにより水素・酸素を含む超微細ミストを顔等に選択的に適用する美顔器として有効に利用することができる。
【００３０】  なお、超微細ミストの温度を調整したい場合には超微細水滴発生装置本体１の吸気口１側あるいは貯水室１６にヒーター等の従来公知の温調装置を設けることによって温度を調整することができる。
【００３１】  このように、放出口１８に種々のアタッチメントを適用することにより水素および酸素を含む超微細水滴を所望の方法で放出することが可能となる。
【００３２】  なお、本発明の好ましい実施態様において、貯水室１６に導入される水は、超微細水滴発生装置本体１、特に貯水室１６のメンテナンスが損なわれない範囲の機能水、例えばミネラル水、好ましくはイオン化ミネラル水、ビタミン等の成分が含有された水である。このように機能水を使用することによって、水素、酸素とともにミネラルを含有するミストを超微細水滴として放出することが可能となる。
【００３３】  また、超微細水滴発生装置本体１の吸気口１１に、フィルタ、好ましくは有限会社メルテックから販売されるエアコンマスクを設けることが望ましい。
【００３４】  また、図４に示す通り、本発明の気体調製槽３は着脱自在にすることが好ましい。このように気体調製槽３を着脱自在に構成することによって、本発明の超微細水滴発生装置は、水素を伴わない超微細水滴を発生させ放出する場合と、水素を含む気体を含有する水滴を発生させ放出する場合と使い分けが可能となる。
【００３５】  また、本発明の特定の実施形態によると、本発明の気体混合調製槽を既存の超微細水滴発生装置に装着させるアタッチメントとして使用することも可能である。
【産業上の利用可能性】
【００３６】  以上説明した通り、本発明は超微細水滴発生装置マイナスイオン効果とともに、水素・酸素混合気体の放出効果が得られる。そのため、発生した水素・酸素を含む超微細水滴は、吸気および経皮的に水素・酸素を体内に取り込むことが可能であり、特に排気口からダクトを介して吸引する場合やサウナ等に適用することも可能である。
【符号の説明】
【００３７】  １  超微細水滴発生装置本体
３  水素・空気混合気体調製槽
１１  吸気口
１２  送風ファン
１３  処理室
１４  回転体
１５  円筒体
１６  貯水室
１７  送風塔
１０  放出口
３１  水素発生体
３２  貯水部
３３  気体誘導部
３４  空気取り入れ部
３５  混合気体導入口
【図１】
2013221733.tif 000003
【図２】
2013221733.tif 000004
【図３】
2013221733.tif 000005
【図４】
2013221733.tif 000006
【図５】
2013221733.tif 000007